(57)【要約】【課題】消費電力の低減を容易に行うことができる照明装置、及びこれを用いた表示装置を提供する。【解決手段】冷陰極蛍光管（ＣＣＦＬ）４と、熱陰極蛍光管（ＨＣＦＬ）５と、冷陰極蛍光管４を点灯駆動する第１のインバータ回路（ＣＣＦＬ用点灯駆動回路）１２と、熱陰極蛍光管５を点灯駆動する第２のインバータ回路（ＨＣＦＬ用点灯駆動回路）１３と、第１及び第２のインバータ回路１２、１３の駆動制御を行う照明制御部（制御部）１１を備える。【選択図】図１
2009283147.tif 000002
【特許請求の範囲】
【請求項１】
冷陰極蛍光管と、
熱陰極蛍光管と、
前記冷陰極蛍光管を点灯駆動するＣＣＦＬ用点灯駆動回路と、
前記熱陰極蛍光管を点灯駆動するＨＣＦＬ用点灯駆動回路と、
前記ＣＣＦＬ用点灯駆動回路及び前記ＨＣＦＬ用点灯駆動回路の駆動制御を行う制御部と
を備えていることを特徴とする照明装置。
【請求項２】
前記制御部は、外部からの調光指示信号に基づいて、前記ＣＣＦＬ用点灯駆動回路の駆動制御を行う請求項１に記載の照明装置。
【請求項３】
前記制御部は、外部からの調光指示信号に基づいて、前記ＨＣＦＬ用点灯駆動回路の駆動制御を行う請求項１に記載の照明装置。
【請求項４】
前記制御部は、外部からの調光指示信号に基づいて、前記ＣＣＦＬ用点灯駆動回路及び前記ＨＣＦＬ用点灯駆動回路の各駆動制御を互いに独立して行う請求項１に記載の照明装置。
【請求項５】
前記ＨＣＦＬ用点灯駆動回路は、前記制御部からの指示信号に従って、前記熱陰極蛍光管を、点灯及び消灯のいずれか一方の状態とする請求項１に記載の照明装置。
【請求項６】
同一平面上に設けられた複数の前記冷陰極蛍光管を備えるとともに、
少なくとも１本の前記熱陰極蛍光管が、前記複数の冷陰極蛍光管の間に設置されている請求項１〜５のいずれか１項に記載の照明装置。
【請求項７】
前記冷陰極蛍光管及び前記熱陰極蛍光管の少なくとも一方からの光が導入されて、その導入された光を所定の導光方向に導く導光板を備えている請求項１〜５のいずれか１項に記載の照明装置。
【請求項８】
前記冷陰極蛍光管は、前記導光板の光が導入される導入面に対向して配置されるとともに、
前記熱陰極蛍光管は、前記導光板の光を出射する出射面の下方に配置されている請求項７に記載の照明装置。
【請求項９】
前記熱陰極蛍光管は、前記導光板の光が導入される導入面に対向して配置されるとともに、
前記冷陰極蛍光管は、前記導光板の光を出射する出射面の下方に配置されている請求項７に記載の照明装置。
【請求項１０】
前記冷陰極蛍光管及び前記熱陰極蛍光管は、前記導光板の光が導入される導入面に対向して配置されている請求項７に記載の照明装置。
【請求項１１】
請求項１〜１０のいずれか１項に記載の照明装置を用いたことを特徴とする表示装置。
【請求項１２】
文字及び画像を含んだ情報を表示する表示部を備えるとともに、
前記表示部に、液晶パネルを用いた請求項１１に記載の表示装置。
【発明の詳細な説明】
【技術分野】
【０００１】
本発明は、バックライト等に使用される照明装置、及びこれを用いた表示装置に関する。
【背景技術】
【０００２】
近年、例えば液晶表示装置は、在来のブラウン管に比べて薄型、軽量などの特長を有するフラットパネルディスプレイとして、液晶テレビ、モニター、携帯電話などに幅広く利用されている。このような液晶表示装置には、光を発光する照明装置（バックライト）と、照明装置に設けられた光源からの光に対しシャッターの役割を果たすことで所望画像を表示する液晶パネルとが含まれている。
【０００３】
また、上記照明装置には、例えば下記特許文献１に記載されているように、上記光源に熱陰極蛍光管を用いたものが提供されている。また、この従来の照明装置では、熱陰極蛍光管でのランプ電流を低出力と高出力との間で切り替えるときに、当該熱陰極蛍光管を点灯駆動するインバータ回路の動作周波数を連続的に変化させていた。そして、この従来の照明装置では、熱陰極蛍光管の調光状態から点灯状態への切替時に生じる過渡電圧を抑制し素子へのストレスを低減するとともに、点灯状態から調光状態への切替時の立ち消えを抑制可能とされていた。
【特許文献１】特開２００７−２１９３２２号公報
【発明の開示】
【発明が解決しようとする課題】
【０００４】
しかしながら、上記のような従来の照明装置では、消費電力の低減を容易に行うことが難しいという問題点があった。
【０００５】
具体的にいえば、上記従来の照明装置では、熱陰極蛍光管に対し、ランプ電流を低出力と高出力との間で切り替えることにより、当該照明装置からの光の輝度を変更していた。ところが、熱陰極蛍光管では、通常、その電極を予熱する予熱回路が設けられており、このため、この従来の照明装置では、ランプ電流を低出力に切り替えたときでも、消費電力を低減することは困難であった。
【０００６】
上記の課題を鑑み、本発明は、消費電力の低減を容易に行うことができる照明装置、及びこれを用いた表示装置を提供することを目的とする。
【課題を解決するための手段】
【０００７】
上記の目的を達成するために、本発明にかかる照明装置は、冷陰極蛍光管と、
熱陰極蛍光管と、
前記冷陰極蛍光管を点灯駆動するＣＣＦＬ用点灯駆動回路と、
前記熱陰極蛍光管を点灯駆動するＨＣＦＬ用点灯駆動回路と、
前記ＣＣＦＬ用点灯駆動回路及び前記ＨＣＦＬ用点灯駆動回路の駆動制御を行う制御部とを備えていることを特徴とするものである。
【０００８】
上記のように構成された照明装置では、冷陰極蛍光管とこの冷陰極蛍光管を点灯駆動するＣＣＦＬ用点灯駆動回路が設けられるとともに、熱陰極蛍光管とこの熱陰極蛍光管を点灯駆動するＨＣＦＬ用点灯駆動回路が設けられている。また、照明装置は、ＣＣＦＬ用点灯駆動回路及びＨＣＦＬ用点灯駆動回路の駆動制御を行う制御部を備えている。これにより、上記従来例と異なり、冷陰極蛍光管を調光することによって、照明装置からの光の輝度を変更することができ、輝度を低下させたときには、冷陰極蛍光管の消費電力が低減され、この結果、消費電力の低減を容易に行うことができる照明装置を構成することができる。
【０００９】
また、上記照明装置において、前記制御部は、外部からの調光指示信号に基づいて、前記ＣＣＦＬ用点灯駆動回路の駆動制御を行うことが好ましい。
【００１０】
この場合、上記冷陰極蛍光管は調光指示信号を基に適切に点灯駆動されることとなり、制御部は照明装置からの光の輝度制御を適切に行うことができる。
【００１１】
また、上記照明装置において、前記制御部は、外部からの調光指示信号に基づいて、前記ＨＣＦＬ用点灯駆動回路の駆動制御を行ってもよい。
【００１２】
この場合、上記熱陰極蛍光管は調光指示信号を基に適切に点灯駆動されることとなり、制御部は照明装置からの光の輝度制御を適切に行うことができる。
【００１３】
また、上記照明装置において、前記制御部は、外部からの調光指示信号に基づいて、前記ＣＣＦＬ用点灯駆動回路及び前記ＨＣＦＬ用点灯駆動回路の各駆動制御を互いに独立して行うことが好ましい。
【００１４】
この場合、上記冷陰極蛍光管及び熱陰極蛍光管は調光指示信号を基に適切に点灯駆動されることとなり、制御部は照明装置からの光の輝度制御をより適切に行うことができる。
【００１５】
また、上記照明装置において、前記ＨＣＦＬ用点灯駆動回路は、前記制御部からの指示信号に従って、前記熱陰極蛍光管を、点灯及び消灯のいずれか一方の状態とすることが好ましい。
【００１６】
この場合、ＨＣＦＬ点灯駆動回路の駆動制御の簡単化を容易に図ることができる。
【００１７】
また、上記照明装置において、同一平面上に設けられた複数の前記冷陰極蛍光管を備えるとともに、
少なくとも１本の前記熱陰極蛍光管が、前記複数の冷陰極蛍光管の間に設置されてもよい。
【００１８】
この場合、照明装置では同一平面上に設けられた複数の冷陰極蛍光管及び少なくとも１本の熱陰極蛍光管からの光が外部に向かって出射される。
【００１９】
また、上記照明装置において、前記冷陰極蛍光管及び前記熱陰極蛍光管の少なくとも一方からの光が導入されて、その導入された光を所定の導光方向に導く導光板を備えてもよい。
【００２０】
この場合、冷陰極蛍光管の輝度と熱陰極蛍光管の輝度に差が生じても、外部に向かって出射される照明装置からの光に輝度むらが発生するのを、導光板によって容易に抑制することができ、照明装置の発光品位を向上させることができる。
【００２１】
また、上記照明装置において、前記冷陰極蛍光管は、前記導光板の光が導入される導入面に対向して配置されるとともに、
前記熱陰極蛍光管は、前記導光板の光を出射する出射面の下方に配置されてもよい。
【００２２】
この場合、出射面から外部に向かって出射される光に輝度むらが発生するのを容易に抑制することができ、照明装置の発光品位を向上させることができる。
【００２３】
また、上記照明装置において、前記熱陰極蛍光管は、前記導光板の光が導入される導入面に対向して配置されるとともに、
前記冷陰極蛍光管は、前記導光板の光を出射する出射面の下方に配置されてもよい。
【００２４】
この場合、出射面から外部に向かって出射される光に輝度むらが発生するのを容易に抑制することができ、照明装置の発光品位を向上させることができる。
【００２５】
また、上記照明装置において、前記冷陰極蛍光管及び前記熱陰極蛍光管は、前記導光板の光が導入される導入面に対向して配置されていることが好ましい。
【００２６】
この場合、上記出射面から外部に向かって出射される光に輝度むらが発生するのをより容易に抑制することができ、照明装置の発光品位をより確実に向上させることができる。
【００２７】
また、本発明の表示装置は、上記いずれかの照明装置を用いたことを特徴とするものである。
【００２８】
上記のように構成された表示装置では、消費電力の低減を容易に行うことができる照明装置が用いられているので、消費電力の少ない表示装置を容易に構成することができる。
【００２９】
また、上記表示装置において、文字及び画像を含んだ情報を表示する表示部を備えるとともに、
前記表示部に、液晶パネルを用いていることが好ましい。
【００３０】
この場合、消費電力の少ない液晶表示装置を容易に構成することができる。
【発明の効果】
【００３１】
本発明によれば、消費電力の低減を容易に行うことができる照明装置、及びこれを用いた表示装置を提供することが可能となる。
【発明を実施するための最良の形態】
【００３２】
以下、本発明の照明装置、及びこれを用いた表示装置の好ましい実施形態について、図面を参照しながら説明する。なお、以下の説明では、本発明を透過型の液晶表示装置に適用した場合を例示して説明する。また、各図中の構成部材の寸法は、実際の構成部材の寸法及び各構成部材の寸法比率等を忠実に表したものではない。
【００３３】
［第１の実施形態］
図１は、本発明の第１の実施形態にかかる照明装置及び液晶表示装置の要部構成を説明する図である。図１において、液晶表示装置１には、文字及び画像などの情報を表示する表示部としての液晶パネル２と、液晶パネル２の非表示面側（図の下側）に配置されて、当該液晶パネル２を照明する照明光を発生する本発明の照明装置３とが設けられており、これらの液晶パネル２と照明装置３とが透過型の液晶表示装置１として一体化されている。また、液晶表示装置１では、液晶パネル２の非表示面側及び表示面側に、透過軸が互いにクロスニコルに配置された一対の偏光板８及び９がそれぞれ設置されている。
【００３４】
照明装置３には、有底状のシャーシ３ａと、シャーシ３ａに収容された複数、例えば４本の冷陰極蛍光管（ＣＣＦＬ）４と複数、例えば２本の熱陰極蛍光管（ＨＣＦＬ）５が設けられている。シャーシ３ａの内面には、例えば反射シート３ｂが設置されており、光源としての冷陰極蛍光管４及び熱陰極蛍光管５からの光を液晶パネル２側に反射させることにて当該冷陰極蛍光管４及び熱陰極蛍光管５の光利用効率を向上させるようになっている。
【００３５】
また、上記シャーシ３ａの外側には、液晶パネル２を駆動する液晶駆動部１０と、照明装置３の制御部としての照明制御部１１と、照明制御部１１からの指示信号を用いて、複数の各冷陰極蛍光管４及び複数の熱陰極蛍光管５をそれぞれインバータ駆動にて高周波点灯させる第１及び第２のインバータ回路１２及び１３が設置されている。
【００３６】
また、照明装置３では、シャーシ３ａの開口部を覆うように設置された拡散板６と、拡散板６の上方に設置された光学シート７とが設けられている。拡散板６は、例えば厚さ２ｍｍ程度の長方形状の合成樹脂またはガラス材を用いて構成されている。また、拡散板６は、シャーシ３ａ上で移動可能に保持されており、冷陰極蛍光管４の発熱、熱陰極蛍光管５の発熱やシャーシ３ａの内部の温度上昇等の熱の影響により、当該拡散板６に伸縮変形が生じたときでも、シャーシ３ａ上で移動することによって変形を吸収可能になっている。
【００３７】
光学シート７には、例えば厚さ０．２ｍｍ程度の合成樹脂フィルムにて構成された拡散シートが含まれており、液晶パネル２への上記照明光を適度に拡散して当該液晶パネル２の表示面での表示品位を向上させるように構成されている。また、光学シート７には、液晶パネル７の表示面での表示品位の向上を行うためなどのプリズムシート、偏光反射シートなどの公知の光学シート材が必要に応じて適宜積層されるようになっている。そして、光学シート７は、拡散板６から出射された面状光を、所定の輝度（例えば、１００００ｃｄ／ｍ2）以上で、かつ、ほぼ均一な輝度を有する面状光に変換して照明光として液晶パネル２側に入射させるように構成されている。
【００３８】
尚、上記の説明以外に、例えば液晶パネル２の上方（表示面側）に当該液晶パネル２の視野角を調整するための拡散シートなどの光学部材を適宜積層してもよい。
【００３９】
ここで、図２及び図３も参照して、本実施形態の照明装置３について具体的に説明する。
【００４０】
図２は図１に示した照明装置の要部構成を示す平面図であり、図３は上記照明装置での具体的な回路構成を説明するブロック図である。
【００４１】
図２に示すように、本実施形態の照明装置３では、４本の冷陰極蛍光管４及び２本の熱陰極蛍光管（ＨＣＦＬ）５が互いに等ピッチで設けられている。また、これら冷陰極蛍光管４及び熱陰極蛍光管５は、図１に示したように、ランプ中心が同一平面上に配置されるように、シャーシ３ａ内に設けられており、２本の各熱陰極蛍光管５は、隣接する２本の冷陰極蛍光管４の間に設置されている。さらに、冷陰極蛍光管４及び熱陰極蛍光管５は、図１に示したように、液晶パネル２の非表示面側に対向するように設けられており、本実施形態の照明装置３では、直下型のバックライトが構成されている。
【００４２】
また、各冷陰極蛍光管４には、直径３．０〜４．０ｍｍ程度の直管状の蛍光ランプタイプのものが用いられており、その両端部に設けられた電極部（図示せず）がシャーシ３ａの外側にて支持されている。また、各熱陰極蛍光管５には、直径１０〜４０ｍｍ程度の直管状の蛍光ランプタイプのものが用いられており、その両端部に設けられた電極部（図示せず）がシャーシ３ａの外側にて支持されている。これらの各冷陰極蛍光管４及び各熱陰極蛍光管５は、図示しない光源保持具によって拡散板６及び反射シート３ｂとの各間の距離を所定の距離に保たれた状態で、シャーシ３ａの内部に保持されている。
【００４３】
さらに、各冷陰極蛍光管４及び各熱陰極蛍光管５は、その長手方向が重力の作用方向と直交する方向に平行となるように配置されている。これにより、各冷陰極蛍光管４及び各熱陰極蛍光管５では、その内部に封入された水銀（蒸気）が重力の作用により長手方向の一方の端部側に集まるのが防がれて、ランプ寿命が大幅に向上されている。
【００４４】
図３に示すように、本実施形態の照明装置３では、外部からの指示信号として、例えば照明装置３の発光面の輝度を変更する調光指示信号が照明制御部１１に入力されるようになっており、液晶表示装置１では、ユーザが液晶パネル２の表示面での輝度（明るさ）を適宜変更可能に構成されている。つまり、照明制御部１１には、例えば液晶表示装置１側に設けられたリモートコントローラなどの操作入力器（図示せず）から調光指示信号が入力されるように構成されている。
【００４５】
そして、本実施形態の照明装置３では、照明制御部１１は外部から入力された調光指示信号に基づいて、ＣＣＦＬ用点灯駆動回路としての上記第１のインバータ回路１２及びＨＣＦＬ用点灯駆動回路としての上記第２のインバータ回路１３の各駆動制御を互いに独立して行うように構成されている。
【００４６】
具体的にいえば、照明制御部１１は、外部からの調光指示信号を用いて、冷陰極蛍光管４が調光制御されるように、第１のインバータ回路１２への指示信号を生成して出力するようになっている。これにより、各冷陰極蛍光管４では、第１のインバータ回路１２から供給される供給電流（ランプ電流）が調光指示信号に応じて変化する。
【００４７】
一方、照明制御部１１は、外部からの調光指示信号を用いて、熱陰極蛍光管５が点灯状態または消灯状態のいずれかの状態とされるように、第２のインバータ回路１３への指示信号を生成して出力するようになっている。これにより、各熱陰極蛍光管５では、その最大輝度で点灯状態または消灯状態とされる。
【００４８】
また、本実施形態の照明装置３では、各熱陰極蛍光管５が消灯状態とされているときは、全ての冷陰極蛍光管４もまた消灯状態とされ、当該照明装置３がオフ（消灯）状態とされるようになっている。言い換えれば、本実施形態の照明装置３では、照明制御部１１は外部からの調光指示信号を基づき、各冷陰極蛍光管４からの光だけを変化させ、各熱陰極蛍光管５からの光は常に一定な点灯状態としている。すなわち、本実施形態の照明装置３では、各冷陰極蛍光管４から出射される出射光の光量が、調光指示信号に応じて変化して、照明装置３の発光面での輝度及び液晶パネル２の表示面での輝度がユーザの操作指示に応じて適切に変更される。
【００４９】
ここで、図４を参照して、本実施形態の照明装置３での動作について具体的に説明する。尚、以下の説明では、照明制御部１１が調光指示信号を用いて、冷陰極蛍光管４に調光制御を実施したときの動作について主に説明する。
【００５０】
図４は、上記照明装置での輝度と消費電力との具体的な関係を説明するグラフである。
【００５１】
本実施形態の照明装置３では、図４に直線５０にて示すように、外部に向かって出射される光の輝度を大きくするにつれて、消費電力も増加するが、輝度の変化に対する消費電力の変化の割合（直線の傾き）が、冷陰極蛍光管だけで照明装置を構成した場合（同図に直線７０にて図示）での直線の傾きと同じとなり、輝度１００％での消費電力が、熱陰極蛍光管だけで照明装置を構成した場合（同図に直線６０にて図示）での値と冷陰極蛍光管だけで照明装置を構成した場合（同図に直線７０にて図示）での値との間の値となる。
【００５２】
すなわち、本実施形態の照明装置３では、最小輝度値（輝度値５０％）で光を出射するときには、熱陰極蛍光管５のみが点灯される。このとき、本実施形態の照明装置３では、直線６０にて示した熱陰極蛍光管だけで照明装置を構成した場合に比べて、消費電力を容易に小さくすることができる。
【００５３】
一方、本実施形態の照明装置３では、最大輝度値で光を出射するときには、冷陰極蛍光管４及び熱陰極蛍光管５が点灯される。このとき、本実施形態の照明装置３では、熱陰極蛍光管５から光を出射させているので、直線７０にて示した冷陰極蛍光管だけで照明装置を構成した場合に比べて、消費電力を容易に小さくすることができる。すなわち、本実施形態の照明装置３では、最大輝度値で点灯動作するときの最大定格電力が、冷陰極蛍光管だけで照明装置を構成した場合に比べて、大幅に小さくすることができる。
【００５４】
以上のように構成された本実施形態の照明装置３では、冷陰極蛍光管４と冷陰極蛍光管４を点灯駆動する第１のインバータ回路（ＣＣＦＬ用点灯駆動回路）１２が設けられるとともに、熱陰極蛍光管５と熱陰極蛍光管５を点灯駆動する第２のインバータ回路（ＨＣＦＬ用点灯駆動回路）１３が設けられている。また、本実施形態の照明装置３は、第１及び第２のインバータ回路１２、１３の各駆動制御を行う照明制御部（制御部）１１を備えている。これにより、本実施形態の照明装置３では、上記従来例と異なり、冷陰極蛍光管４を点灯駆動することによって、照明装置３からの光の輝度を変更することができ、消費電力の低減を容易に行うことができる照明装置３を構成することができる。
【００５５】
また、本実施形態の照明装置３では、照明制御部１１が外部からの調光指示信号に基づいて、第１及び第２のインバータ回路１２、１３の各駆動制御を互いに独立して行うので、冷陰極蛍光管４及び熱陰極蛍光管５は調光指示信号を基に適切に点灯駆動されることとなり、照明制御部１１は照明装置３からの光の輝度制御をより適切に行うことができる。
【００５６】
また、本実施形態の照明装置３では、第２のインバータ回路１３は照明制御部１１からの指示信号に従って、熱陰極蛍光管５を、点灯及び消灯のいずれか一方の状態とするので、第２のインバータ回路１３の駆動制御の簡単化を容易に図ることができる。
【００５７】
また、本実施形態の液晶表示装置１では、消費電力の低減を容易に行うことができる照明装置３が用いられているので、消費電力の少ない液晶表示装置１を容易に構成することができる。
【００５８】
［第２の実施形態］
図５は、本発明の第２の実施形態にかかる照明装置の要部構成を説明する図である。図において、本実施形態と上記第１の実施形態との主な相違点は、導光板を設置するとともに、導光板の導入面に対向して冷陰極蛍光管を配置し、かつ、導光板の出射面の下方に熱陰極蛍光管を配置した点である。なお、上記第１の実施形態と共通する要素については、同じ符号を付して、その重複した説明を省略する。
【００５９】
すなわち、図５に示すように、本実施形態の照明装置３では、シャーシ３ａの開口部側に導光板１４が設置されている。この導光板１４の左右の側面には、冷陰極蛍光管４が対向するように配置されており、２本の各冷陰極蛍光管４からの光が導入されるようになっている。つまり、導光板１４では、左右の側面が冷陰極蛍光管４からの光が導入される導入面１４ｂ、１４ｃとして構成されており、導光板１４は、その導入された光を所定の導光方向（図５の左右方向）に導きつつ、液晶パネル２側に設けられた出射面１４ａから適宜出射するようになっている。
【００６０】
また、本実施形態の照明装置３では、導光板１４の出射面１４ａの下方に２本の熱陰極蛍光管５が設置されており、これら熱陰極蛍光管５からの光は導光板１４内を通過して出射面１４ａから液晶パネル２側に出射されるようになっている。
【００６１】
以上の構成により、本実施形態の照明装置３は、第１の実施形態のものと同様な作用効果を奏する。また、本実施形態では、導光板１４が設置されてその出射面１４ａから液晶パネル２側に向かって光が出射されるので、当該導光板１４によって外部に向かって出射される照明装置３からの光に輝度むらが発生するのを容易に抑制することができ、照明装置３の発光品位を向上させることができる。
【００６２】
［第３の実施形態］
図６は、本発明の第３の実施形態にかかる照明装置の要部構成を示す平面図である。図において、本実施形態と上記第１の実施形態との主な相違点は、導光板の導入面に対向して、冷陰極蛍光管及び熱陰極蛍光管を配置した点である。なお、上記第１の実施形態と共通する要素については、同じ符号を付して、その重複した説明を省略する。
【００６３】
すなわち、図６に示すように、本実施形態の照明装置３では、２本の冷陰極蛍光管４が導光板１４の長手方向の側面である導入面１４ｂ、１４ｃにそれぞれ対向して配置され、２本の熱陰極蛍光管５が導光板１４の短手方向の側面である導入面１４ｄ、１４ｅにそれぞれ対向して配置されている。そして、導光板１４では、導入面１４ｂ、１４ｃから導入された冷陰極蛍光管４からの光を図６の上下方向に導きつつ、出射面１４ａから液晶パネル２側に適宜出射させるとともに、導入面１４ｄ、１４ｅから導入された熱陰極蛍光管５からの光を図６の左右方向に導きつつ、出射面１４ａから液晶パネル２側に適宜出射させるようになっている。
【００６４】
以上の構成により、本実施形態の照明装置３は、第１の実施形態のものと同様な作用効果を奏する。また、本実施形態では、冷陰極蛍光管４及び熱陰極蛍光管５が導光板１４の導入面１４ｂ〜１４ｅに対向して配置されているので、導光板１４の出射面１４ａから外部に向かって出射される光に輝度むらが発生するのをより容易に抑制することができ、照明装置３の発光品位をより確実に向上させることができる。
【００６５】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【００６６】
例えば、上記の説明では、本発明を透過型の液晶表示装置に適用した場合について説明したが、本発明の照明装置はこれに限定されるものではなく、光源の光を利用して、画像、文字などの情報を表示する非発光型の表示部を備えた各種表示装置に適用することができる。具体的には、半透過型の液晶表示装置、あるいは液晶パネルをライトバルブに用いた投写型表示装置に本発明の照明装置を好適に用いることができる。
【００６７】
また、上記の説明以外に、本発明の照明装置は、レントゲン写真に光を照射するシャウカステンあるいは写真ネガ等に光を照射して視認をし易くするためのライトボックスや、看板や駅構内の壁面などに設置される広告などをライトアップする発光装置のバックライトとして好適に用いることができる。
【００６８】
また、上記第１の実施形態の説明では、４本の冷陰極蛍光管と２本の熱陰極蛍光管を用いた場合について説明し、第２及び第３の実施形態の説明では、各々２本の冷陰極蛍光管及び熱陰極蛍光管を用いた場合について説明した。しかしながら、本発明の照明装置は、冷陰極蛍光管、熱陰極蛍光管、冷陰極蛍光管を点灯駆動するＣＣＦＬ用点灯駆動回路、熱陰極蛍光管を点灯駆動するＨＣＦＬ用点灯駆動回路、及びＣＣＦＬ用点灯駆動回路及びＨＣＦＬ用点灯駆動回路の駆動制御を行う制御部を備えたものであればよく、冷陰極蛍光管及び熱陰極蛍光管の各設置数や各設置箇所などは上記のものに何等限定されない。
【００６９】
また、上記第２の実施形態の説明では、導光板の導入面に対向して冷陰極蛍光管を配置するとともに、導光板の出射面の下方に熱陰極蛍光管を配置した場合について説明したが、導光板の導入面に対向して熱陰極蛍光管を配置するとともに、導光板の出射面の下方に冷陰極蛍光管を配置する構成でもよい。
【産業上の利用可能性】
【００７０】
本発明は、消費電力の低減を容易に行うことができる照明装置、及びこれを用いた表示装置に対して有用である。
【図面の簡単な説明】
【００７１】
【図１】本発明の第１の実施形態にかかる照明装置及び液晶表示装置の要部構成を説明する図である。
【図２】図１に示した照明装置の要部構成を示す平面図である。
【図３】上記照明装置での具体的な回路構成を説明するブロック図である。
【図４】上記照明装置での輝度と消費電力との具体的な関係を説明するグラフである。
【図５】本発明の第２の実施形態にかかる照明装置の要部構成を説明する図である。
【図６】本発明の第３の実施形態にかかる照明装置の要部構成を示す平面図である。
【符号の説明】
【００７２】
１  液晶表示装置（表示装置）
２  液晶パネル（表示部）
３  照明装置
４  冷陰極蛍光管
５  熱陰極蛍光管
１１  照明制御部（制御部）
１２  第１のインバータ回路（ＣＣＦＬ用点灯駆動回路）
１３  第２のインバータ回路（ＨＣＦＬ用点灯駆動回路）
１４  導光板
１４ａ  出射面
１４ｂ、１４ｃ、１４ｄ、１４ｅ  導入面
【図１】
2009283147.tif 000003
【図２】
2009283147.tif 000004
【図３】
2009283147.tif 000005
【図４】
2009283147.tif 000006
【図５】
2009283147.tif 000007
【図６】
2009283147.tif 000008